(57)【要約】【課題】鋸刃ハウジングに備えた駆動、従動ホイールの前側を開放した構成であって鋸刃ハウジングの構成の簡素化を図り、かつ安全性の向上を図った横型帯鋸盤を提供する。【解決手段】鋸刃ハウジングに備えた駆動ホイール２１及び従動ホイール２３の前側を開放して備え、前記駆動ホイール２１の少なくとも側方を封鎖した一方の防護壁２７をベースフレーム３に備えると共に、前記従動ホイール２３の少なくとも側方を封鎖した他方の防護壁２９を前記ベースフレーム３に備え、前記駆動ホイール２１の前側を封鎖自在な扉３１を前記一方の防護壁２７に開閉自在に備えると共に、前記従動ホイール２３の前側を封鎖自在な扉２５を前記他方の防護壁２９に開閉自在に備えており、前記鋸刃ハウジング１９と前記扉３１との間に、飛散した切粉及び切削油が前記扉３１の内面に付着することを防止するためのカーテン４１を備えている。【選択図】図２
2015123524.tif 000002
【特許請求の範囲】
【請求項１】
エンドレス状の帯鋸刃を掛回した駆動ホイールと従動ホイールとを左右方向に離隔して回転自在に備えた鋸刃ハウジングを、ベースフレーム上に上下動自在に備えた横型帯鋸盤であって、前記駆動ホイール及び従動ホイールの前側を開放して備え、前記駆動ホイールの少なくとも側方を封鎖した一方の防護壁を前記ベースフレームに備えると共に、前記従動ホイールの少なくとも側方を封鎖した他方の防護壁を前記ベースフレームに備え、前記駆動ホイールの前側を封鎖自在な扉を前記一方の防護壁に開閉自在に備えると共に、前記従動ホイールの前側を封鎖自在な扉を前記他方の防護壁に開閉自在に備えていることを特徴とする横型帯鋸盤。
【請求項２】
請求項１に記載の横型帯鋸盤において、前記鋸刃ハウジングと前記扉との間に、飛散した切粉及び切削油が前記扉の内面に付着することを防止するためのカーテンを備えていることを特徴とする横型帯鋸盤。
【請求項３】
請求項２に記載の横型帯鋸盤において、前記カーテンは、当該横型帯鋸盤に備えたオイルパンの上方に位置し、かつ左右方向に開閉自在に備えられていることを特徴とする横型帯鋸盤。
【発明の詳細な説明】
【技術分野】
【０００１】
本発明は、エンドレス状の帯鋸刃を備えた鋸刃ハウジングを上下動自在に備えた横型帯鋸盤に係り、さらに詳細には、前記鋸刃ハウジングの構成の簡素化を図り、かつ安全性の向上を図った横型帯鋸盤に関する。
【背景技術】
【０００２】
金属材料のワークの切断を行う横型帯鋸盤は、ベースフレームを備え、このベースフレーム上に、ワークを挟持固定自在のバイス装置を備えている。そして、前記バイス装置に固定されたワークの切断を行うために、前記ベースフレーム上に、帯鋸刃を備えた鋸刃ハウジングが上下動自在（上下に揺動する場合も含まれる）に備えられている。前記鋸刃ハウジングには、駆動ホイールと従動ホイールとが左右方向に離隔して回転自在に備えられており、この両ホイールに、エンドレス状の前記帯鋸刃が掛回してある（例えば特許文献１，２参照）。
【先行技術文献】
【特許文献】
【０００３】
【特許文献１】特開平９−６６４１７号公報
【特許文献２】特開２００６−２５５８３９号公報
【発明の概要】
【発明が解決しようとする課題】
【０００４】
前記特許文献１，２に記載されているように、従来の横型帯鋸盤における鋸刃ハウジングの左右両側に備えた駆動ホイール、従動ホイールは開閉自在なカバーによって覆われているのが一般的である。しかし、従来の構成においては、前記鋸刃ハウジングの左右両側方の領域及び駆動ホイール、従動ホイールの前後両方の領域は開放された状態にある。したがって、作業者が誤ってワークの切断領域に近接することがある。よって、ワークの切断時には切断領域に近接することのないように、より安全性の向上を図ることが望まれていた。
【課題を解決するための手段】
【０００５】
本発明は、前述のごとき問題に鑑みてなされたもので、エンドレス状の帯鋸刃を掛回した駆動ホイールと従動ホイールとを左右方向に離隔して回転自在に備えた鋸刃ハウジングを、ベースフレーム上に上下動自在に備えた横型帯鋸盤であって、前記駆動ホイール及び従動ホイールの前側を開放して備え、前記駆動ホイールの少なくとも側方を封鎖した一方の防護壁を前記ベースフレームに備えると共に、前記従動ホイールの少なくとも側方を封鎖した他方の防護壁を前記ベースフレームに備え、前記駆動ホイールの前側を封鎖自在な扉を前記一方の防護壁に開閉自在に備えると共に、前記従動ホイールの前側を封鎖自在な扉を前記他方の防護壁に開閉自在に備えていることを特徴とするものである。
【０００６】
また、前記横型帯鋸盤において、前記鋸刃ハウジングと前記扉との間に、飛散した切粉及び切削油が前記扉の内面に付着することを防止するためのカーテンを備えていることを特徴とするものである。
【０００７】
また、前記横型帯鋸盤において、前記カーテンは、当該横型帯鋸盤に備えたオイルパンの上方に位置し、かつ左右方向に開閉自在に備えられていることを特徴とするものである。
【発明の効果】
【０００８】
本発明によれば、鋸刃ハウジングの少なくとも左右両側方を封鎖した左右の防護壁を備え、この左右の防護壁に開閉自在な扉を備えた構成であるから、帯鋸刃によるワークの切断時には、ワークの切断領域に近接することが不可能であり、安全性の向上を図ることができるものである。
【図面の簡単な説明】
【０００９】
【図１】本発明の実施形態に係る横型帯鋸盤の一方の扉を開いた状態の構成を示す斜視説明図である。
【図２】横型帯鋸盤の一方の扉を開いた状態の平面説明図である。
【図３】横型帯鋸盤の一方の扉を開いた状態の正面説明図である。
【発明を実施するための形態】
【００１０】
図１を参照するに、本発明の実施形態に係る横型帯鋸盤１は、ベースフレーム３を備えており、このベースフレーム３上には、ワーク（図示省略）を挟持固定するバイス装置５（図２参照）が備えられている。この種のバイス装置５は、既に知られた構成であるが、概略的に説明すると、バイス装置５は、前記ベースフレーム３上に固定したバイスベッド７を備えている。このバイスベッド７の左右方向（Ｘ軸方向）の一側には固定バイスジョー９が備えられている。そして、バイスベッド７の他側には、前記固定バイスジョー９に対して接近離反する左右方向へ移動自在な可動バイスジョー１１が備えられている。この可動バイスジョー１１は、前記バイスベッド７に備えた流体圧シリンダ１３によって左右移動されるものである。
【００１１】
前記バイス装置５の後方向（Ｙ軸方向の後方向）には、ワークを前後方向へ移動自在に支持する複数の支持ローラ１５を回転自在に備えたローラ架台１７が備えられている。そして、前記バイス装置５と前記ローラ架台１７との間には、前記ローラ架台７に載置されて前方向へ移動されたワークを挟持して前記バイス装置５へ搬送する搬送バイス装置（図示省略）が前後動自在に備えられている。なお、バイス装置５、ローラ架台及び搬送バイス装置は従来の横型帯鋸盤におけるバイス装置、ローラ架台、搬送バイス装置と同一の構成でよいものであるから、より詳細な説明は省略する。
【００１２】
前記バイス装置５における固定バイスジョー９、可動バイスジョー１１によって挟持固定されたワークの切断を行うために、前記ベースフレーム３上には鋸刃ハウジング１９が上下動自在に備えられている。この鋸刃ハウジング１９の右側には駆動ホイール２１が回転自在に備えられており、鋸刃ハウジング１９の左側には従動ホイール２３が回転自在に備えられている。そして、前記駆動ホイール２１と従動ホイール２３には、エンドレス状の帯鋸刃２５（図１，３参照）が掛回してある。
【００１３】
図２から理解されるように、前記駆動ホイール２１、従動ホイール２３の前側は、開放した状態である。すなわち、前記鋸刃ハウジング１９には、前記駆動ホイール２１、従動ホイール２３を個別に覆うカバーが備えられておらず、開放された状態にある。換言すれば、鋸刃ハウジング１９に前記カバーを備えることなく駆動ホイール２１、従動ホイール２３の前側を開放した構成であることにより、鋸刃ハウジング１９の構成の簡素化を図ることができるものである。
【００１４】
前記帯鋸刃２５によるワークの切断時に、ワークの切断位置付近へ作業者が近接することを防止して安全性の向上を図るための防護壁が備えられている。すなわち、前記鋸刃ハウジング１９の右側方位置及び鋸刃ハウジング１９の右側後方位置、換言すれば、前記駆動ホイール２１の右側方位置及び駆動ホイール２１の後方位置を封鎖した、平面視Ｌ形状の右側防護壁２７が前記ベースフレーム３上に立設してある。また、前記鋸刃ハウジング１９の左側方位置には、前記従動ホイール２３の左側方位置及び従動ホイール２３の後方位置を封鎖した、平面視Ｌ形状の左側防護壁２９が前記ベースフレーム３上に立設してある。
【００１５】
したがって、作業者は、鋸刃ハウジング１９の左右両側方及び後方向から鋸刃ハウジング１９に近接することができないものである。よって、前述したように、駆動ホイール２１、従動ホイール２３の前側を開放した構成であっても安全性の向上を図ることができるものである。
【００１６】
前記帯鋸刃２５によるワークの切断加工時に、前記鋸刃ハウジング１９に対して前側から近接することを防止するために、前記右側防護壁２７の前端縁には、前記駆動ホイール２１の前側位置を開閉自在な右側扉３１がヒンジ部材３３を介して水平に回転自在に備えられている。また、前記左側防護壁２９には、前記右側扉３１に対応する左側扉３５がヒンジ部材を介して開閉自在に備えられている。
【００１７】
すなわち、ワークの切断加工時には、前記右側扉３１及び左側扉３５によって前記駆動ホイール２１及び従動ホイール２３の前側位置は封鎖されているものである。したがって、ワークの切断加工時には、前記駆動ホイール２１、従動ホイール２３に対して前側から近接することができないものである。換言すれば、ワークの切断加工時には、鋸刃フレーム１９に対して前側から近づくことができず、安全性の向上を図ることができるものである。
【００１８】
既に理解されるように、帯鋸盤１において、鋸刃ハウジング１９の前側、後側に開放されている部分は、前記ローラ架台１７上から前記バイス装置５へワークを搬送する搬送路に相当する部分と、前記バイス装置５から切断された切断片を前方向へ取り出すための搬送路に相当する部分である。換言すれば、帯鋸盤１において切断されるワークが前後方向に通過するワーク搬送路の部分のみが前後方向に開放されているものであって、鋸刃ハウジング１９の左右両側方の位置及び鋸刃ハウジング１９に備えた駆動ホイール２１、従動ホイール２３の後方位置は、左右の防護壁２７，２９によって封鎖されるものである。そして、前記駆動ホイール２１、従動ホイール２３の前側位置は開閉自在な左右の扉３１，３５によって封鎖されるものである。
【００１９】
したがって、ワークの切断加工時には鋸刃ハウジング１９の周囲から鋸刃ハウジング１９に近接することができず、安全性が向上するものである。
【００２０】
ところで、例えば帯鋸刃２５の交換を行う場合には、左右の扉３１，３５を左右方向に開くものである。この際、飛散した切粉や切削油が扉の内面に付着していると、扉３１，３５を開いたときに床上に落下して床を汚すことがある。そこで、本実施形態においては、図１に示すように、前記右側防護壁２７の内面であって前記扉３１に近接した上側位置には、前記駆動ホイール２１の前側上方位置へ延伸したガイドバー３７が水平に備えられている。そして、上記ガイドバー３７には、複数の吊り具３９を介してカーテン４１が左右方向へ開閉自在に備えられている。より詳細には、前記カーテン４１は透明な樹脂カーテンであって、前記ベースフレーム３に備えたオイルパン４３の上方に位置して備えられている。
【００２１】
したがって、ワークの切断時に帯鋸刃２５に付着して飛散する傾向にある切粉や切削油は、前記カーテン４１の内面に付着し、オイルパン４３内に落下することになる。換言すれば、カーテン４１を備えたことにより、扉３１の内面に切粉や切削油が付着するようなことがなく、扉３１を開いたときに、切粉や切削油によって床を汚すようなことはないものである。なお、カーテン４１は、駆動ホイール２１の前方位置であって扉３１との間に限ることなく、従動ホイール２３の前方位置であって扉３５との間に備えてもよいものである。
【００２２】
以上のごとき説明より理解されるように、本実施形態によれば、鋸刃ハウジング１９に備えた駆動ホイール２１、従動ホイール２３の前側位置をカバーなどによって覆うことなく開放した構成であっても、前記鋸刃ハウジング１９の周囲を左右の防護壁２７，２９及び左右の扉３１，３５によって囲うことにより、ワークの切断加工時に、前記鋸刃ハウジング１９に近接することができず、安全性が向上するものである。
【００２３】
換言すれば、前述のように、左右の防護壁２７，２９及び左右の扉３１，３５によって鋸刃ハウジング１９を囲った構成であることにより、鋸刃ハウジング１９に備えた駆動ホイール２１、従動ホイール２３を覆うためのカバーを省略することができ、鋸刃ハウジング１９の構成の簡素化を図ることができるものである。また、前記構成より明らかなように、鋸刃ハウジング１９と扉３１との間にカーテン４１が備えられているので、飛散した切粉や切削油が扉３１の内面に付着することを防止できるものである。
【符号の説明】
【００２４】
１  横型帯鋸盤
３  ベースフレーム
１９  鋸刃ハウジング
２１  駆動ホイール
２３  従動ホイール
２５  帯鋸刃
２７  右側防護壁
２９  左側防護壁
３１  右側扉
３５  左側扉
３７  ガイドバー
４１  カーテン
４３  オイルパン
【図１】
2015123524.tif 000003
【図２】
2015123524.tif 000004
【図３】
2015123524.tif 000005